(57)【要約】      （修正有）【課題】厚さや大きさの制約を解消し、性能の良い経済的な内照式看板を提供する。【解決手段】乱反射機能を有する高反射率塗料３０を塗布した内照式看板１０の内側に、看板の大きさによっては看板内側に仕切１３を設けて光源２０を適当な間隔に配置し、内側塗付面に照射することで高反射塗料３０が光を乱反射することにより照度の均一性を確保する。【選択図】図１
0003158119.tif 000002
【実用新案登録請求の範囲】
【請求項１】
内照式照明看板において、その内部に乱反射機能を有する高反射率塗料を塗布した面に指向性の強いＬＥＤなどの光源を照射し、その乱反射機能によって照度の均一性を確保する事を特徴とする高反射率塗料とＬＥＤ等の光源とを組み合わせた面発光装置。
【請求項２】
乱反射機能を有する高反射率塗料を塗布した反射板または反射シートを内照式照明看板内部に貼り付けた請求項１に記載の面発光装置。
【請求項３】
高反射塗料の面に凹凸をつけることにより、光源の乱反射を効率化し照度の均一性を向上する請求項１に記載の面発光装置。
【考案の詳細な説明】
【技術分野】
【０００１】  本考案は内照式照明看板（以下内照式看板という）に使用される面発光装置に関する。
【背景技術】
【０００２】  内照式看板の構造は、文字や絵を描いたアクリル板やガラス板に背後から蛍光灯やＬＥＤ等を光源とし直接又は間接に照射する方式である。
大型内照式看板は、蛍光灯やＬＥＤ等の直接光源を適当な間隔に看板底面に敷き詰める方式（以下、敷詰め方式という）と、看板側面に配置したＬＥＤ光源を導光板に照射し発光せしめる方式（以下、導光板方式という）に大別される。
非特許文献１は蛍光灯を光源とした敷詰め方式、非特許文献２にはＬＥＤを光源とした導光板方式の例を示す。【０００３】  敷詰め方式の特徴は、構造が簡単なため制作費用が安価であるが、看板の厚みは光源及び照具の大きさに制約を受けるため薄くできない。さらにこの方式は照度を均一化せしめるために光源配置間隔を密にし、且つ拡散シートを看板前面に貼る必要があった。特に指向性の高いＬＥＤを光源として用いる場合は拡散シートの使用は必要条件となる。【０００４】  導光板方式の特徴は、光源を看板側面に配置し導光板により面発光を行うため敷詰め方式に比べ看板の厚みを薄くすることが可能であるが、光源からの光が導光板を通過する際に照度の減衰があるため看板の大きさが限定される。一般的には導光板の長さの限度は６０ｃｍ程度までとされている。さらに導光板の裏面に反射板を設け照度の低下を防ぐ必要があり、構造も複雑となるため製造コストは敷詰め方式に比べて大幅に高くなった。【０００５】  低酸素社会への対応として今後は光源としてＬＥＤの使用が高まるのに対応すべき時代のニーズに低コストの商品の大型面発光装置の開発が望まれている。
【先行技術文献】
【特許文献】
【０００６】
【特許文献１】特開２００８−２７８６６号公報
【非特許文献】
【０００７】
【非特許文献１】ｈｔｔｐ：／／ｗｗｗ．ｓｅｉｂｉｄｏｕ．ｊｐ／ｎａｉｓｙｏｕｓｉｋｉ．ｈｔｍｌ
【非特許文献２】ｈｔｔｐ：／／ｗｗｗ．ｊｉｓｃ．ｇｏ．ｊｐ／ｎｅｗｓｔｏｐｉｃｓ／２００８／２００８０９１９ｓｙａｎｅｔｕｔｏｒｙｏｕ．ｐｄｆ
【考案の概要】
【考案が解決しようとする課題】
【０００８】  本考案は内照明式看板における厚さや大きさの制約を解消し、高価な特殊部品の使用を減じることによって製造コストや維持管理費用を低下せしめることなど、従来方式の欠点を解消しようとするものである。
又本考案を利用することによって容易に従来方式を性能の良い経済的な内照式看板に改造が可能な方法が望まれていた。
【課題を解決するための手段】
【０００９】  図１及び図２に示すように、乱反射機能を有する高反射率塗料３０（以下高反射塗料という）を塗布した内照式看板１０の内側に、看板の大きさによっては看板内側に仕切１３を設けて光源２０を適当な間隔に配置し、内側塗付面に照射することで高反射塗料３０が光を乱反射することにより照度の均一性を確保する。【００１０】  さらに塗料塗付面に波型の凹凸を設けることにより光の拡散反射効果を助長する。その方式は凹凸をつけた壁面に一定の厚さで塗料を塗付する方式と、塗料の塗付厚で凹凸をつける二つの方式がある。【００１１】  一般の高反射機能性塗料は乱反射機能を必要としない遮熱材として利用されている（非特許文献−２）。
【考案の効果】
【００１２】  以上のように本考案は従来技術の欠点を解消したものである。【００１３】  以下考案の効果を箇条書きに記述する。
▲１▼内照式看板内側に塗付した高反射率塗料の乱反射効果により、ＬＥＤを光源とした従来の間接照明装置が必要とした導光板や拡散シートなどが不要となる。
▲２▼上記効果により光源の数を大幅に減じることが可能となる。実験によると従来方式に比較し８０％程度の光源の数で同等の効果を期待できる。
▲３▼従って装置が簡単となり高反射率塗料の費用を考えても大幅な製造コスト削減となり、試算によると従来の内照式装置の５０％程度以下の製造原価となった。
▲４▼又、部品点数が少なくなった結果維持管理費用も低減できることになる。
▲５▼装置の大きさの制約がなくなり、大規模空間の間接照明が可能となり用途拡大が期待できる。
▲６▼反射率塗料を塗布したシートまたは金属板などを内照式看板内側に貼ることで既成の備え付看板を効率的な機能に簡単に改造できる。
【図面の簡単な説明】
【００１４】
【図１】は本考案の正面図
【図２】は本考案の断面図
【図３】は従来のＬＥＤ光源等を使用した導光板方式看板の断面図
【図４】は従来のＬＥＤ光源等を使用した敷詰め方式看板の断面図
【考案を実施するための形態】
【００１５】  以下本考案を実施形態について図面により説明する。
この考案に係る面発光装置は、図１及び図２に示すように高反射率塗料を塗布し内照式看板１０の内面に光源２０から光を直射し乱反射せしめ照度の均一化を図る。
光源２０は総て塗付面方向に照射するような複数の光源群となっている。
【００１６】  塗付面は凹凸をつけ光の乱反射効率を向上し、光源の間隔を広めることに寄与し、且つ照度の均一化を図ることを目的とする。
【産業上への利用可能性】
【００１７】  以上のことにより従来の導光板方式と同性能の内照式照明看板が安価に製造できる。
その理由として導光板、拡散シート、反射シートなどの高価な部品が不要となり構造が簡単となるからである。看板の大きさを制約していた導光板が不要になるために用途の拡大、例えば壁面全体の間接照明などへの利用が考えられる。
【００１８】  したがって本考案を利用し大空間壁面の間接照明をすることが可能となる。
【００１９】  駅やビルの広告看板やビル壁面の間接照明への利用が従来工法に比較し設備費用や維持管理費の削減に寄与し、低炭素社会への貢献ができる。
他の用途としてはマイクロ波回線で、地形上直接パラボラアンテナ間での通信が不可能な場合、電磁波の進路を変え、通信を可能とする反射板に応用可能である
【符号の説明】
【００２０】１０は本装置の外箱
１１は本装置の表示板
１２は１１の止板
１３は底面ＬＥＤの中間取付板
２０は本装置のＬＥＤ光源
３０は高反射率塗料
７０は導光板
７１は反射シート
７２は拡散シート
７３はアクリル板などの表示板
７４はＬＥＤや蛍光灯などの光源
【図１】
0003158119.tif 000003
【図２】
0003158119.tif 000004
【図３】
0003158119.tif 000005
【図４】
0003158119.tif 000006